(57)【要約】【課題】  位置情報に基づいた適切な無線プロファイルを自動的に選択する。【解決手段】  アクセスポイント３００より無線通信部１６０が位置情報を含むビーコンを受信する。受信したビーコンから位置情報を抽出し、この位置情報を無線電話通信部１５０が電話通信網Ｙを介して管理サーバ４００に送出して、設定情報βの取得を要求する。無線電話通信部１５０が管理サーバ４００から設定情報βを取得すると、この設定情報βから設定情報のパラメータを抽出し所定のレジストリに記憶して設定する。この設定が完了すると、無線通信部１６０がアクセスポイント３００にアクセス許可を要求し、認められると、インターネット網Ｘ等と接続が可能となる。【選択図】図１
2006211168.tif 000002
【特許請求の範囲】
【請求項１】
無線ＬＡＮのアクセスポイントよりビーコンフレームを受信することで自装置の位置を検出する検出手段と、
前記検出手段により検出した自装置の位置の情報を無線電話通信網を介して所定のサーバに送出することで前記アクセスポイントを介してＩＰネットワークの接続を可能にするための設定情報を要求する設定情報要求手段と、
前記設定情報要求手段を行うことで、これに対応する前記設定情報を前記無線電話通信網を介して前記サーバより受信して記憶する記憶手段と、
前記記憶手段により記憶された前記設定情報を基に、前記アクセスポイントを介したＩＰネットワークとの通信設定を行う設定手段と、
前記設定手段により設定された通信内容により、前記アクセスポイントを介して前記ＩＰネットワークとの通信を無線ＬＡＮを用いて行う通信手段と、
を有することを特徴とする携帯型電話機。
【請求項２】
自装置の位置を検出する位置検出手段と、
前記位置検出手段により検出した自装置の位置の情報を無線電話通信網を介して所定のサーバへ送出することで、前記位置情報に対応するアクセスポイントを介してＩＰネットワークの接続を可能にするための設定情報を要求する設定情報要求手段と、
前記設定情報要求手段を行うことで、これに対応する前記設定情報を前記無線電話通信網を介して前記サーバより受信して記憶する記憶手段と、
前記記憶手段により記憶された前記設定情報を基に、前記アクセスポイントを介したＩＰネットワークとの通信設定を行う設定手段と、
前記設定手段により設定された通信内容により、前記アクセスポイントを介して前記ＩＰネットワークとの通信を無線ＬＡＮを用いて行う通信手段と、
を有することを特徴とする携帯型電話機。
【請求項３】
前記アクセスポイントからのビーコンフレームの受信により自装置の位置を検出する検出手段を更に有し、
前記設定情報要求手段は、前記検出手段若しくは前記位置検出手段により検出された自装置の位置の情報を無線電話通信網を介して所定のサーバへ送出することで、前記位置情報に対応するアクセスポイントを介してＩＰネットワークの接続を可能にするための設定情報を要求することを特徴とする請求項２に記載の携帯型電話機。
【請求項４】
無線ＬＡＮにより通信を行う第１の通信手段を備えた携帯型情報処理装置と、
前記携帯型情報処理装置と第２の通信手段により通信を行う携帯型電話機と
を備え、
前記携帯型情報処理装置は、
無線ＬＡＮのアクセスポイントよりビーコンフレームを受信することで自装置の位置を検出する検出手段と、
前記検出手段により検出した自装置の位置の情報を前記第２の通信手段を用いて前記携帯型電話機に送出する送出手段と、
前記送出手段により前記携帯型電話機が受信後、前記位置の情報を無線電話通信網を介して所定のサーバに送出し、これに対応したアクセスポイントを介したＩＰネットワークとの接続を可能にするための設定情報を前記サーバから受信後、前記携帯型電話器機により前記第２の通信手段を介して送出された前記設定情報を受信する受信手段と、
前記受信手段により受信した前記設定情報を基に、前記アクセスポイントを介したＩＰネットワークとの通信設定を行う設定手段と、
前記設定手段により設定された通信内容により、前記アクセスポイントを介して前記ＩＰネットワークとの通信を無線ＬＡＮを用いて行う通信手段と、
を更に有することを特徴とする無線通信システム。
【請求項５】
無線ＬＡＮにより通信を行う第１の通信手段を備えた携帯型情報処理装置と、
前記携帯型情報処理装置と第２の通信手段により通信を行う携帯型電話機と
を備え、
前記携帯型情報処理装置は、
自装置の位置を検出する位置検出手段と、
前記位置検出手段により検出した自装置の位置の情報を前記第２の通信手段を用いて前記携帯型電話機に送出する送出手段と、
前記送出手段により前記携帯型電話機が受信後、前記位置の情報を無線電話通信網を介して所定のサーバに送出し、これに対応したアクセスポイントを介したＩＰネットワークとの接続を可能にするための設定情報を前記サーバから受信後、前記携帯型電話器機により前記第２の通信手段を介して送出された前記設定情報を受信する受信手段と、
前記受信手段により受信した前記設定情報を基に、前記アクセスポイントを介したＩＰネットワークとの通信設定を行う設定手段と、
前記設定手段により設定された通信内容により、前記アクセスポイントを介して前記ＩＰネットワークとの通信を無線ＬＡＮを用いて行う通信手段と、
を更に有することを特徴とする無線通信システム。
【請求項６】
前記携帯型情報処理装置は、
無線ＬＡＮのアクセスポイントよりビーコンフレームを受信することで自装置の位置を検出する検出手段を更に有し、
前記送出手段は、前記検出手段又は前記位置検出手段により検出した自装置の位置の情報を前記第２の通信手段を用いて前記携帯型電話機に送出することを特徴とする請求項５に記載の無線通信システム。
【請求項７】
無線ＬＡＮにより通信を行う第１の通信手段を備えた携帯型情報処理装置と、
自装置の位置を検出する位置検出手段と、前記携帯型情報処理装置と通信を行う第２の通信手段とを備えた携帯型電話機と
を有し、
前記携帯型情報処理装置は、
前記携帯型電話機が前記位置検出手段により検出した自装置の位置の情報を無線電話通信網を介して所定のサーバに送出し、これに対応したアクセスポイントを介したＩＰネットワークとの接続を可能にするための設定情報を前記サーバから受信後、前記携帯型電話器機により前記第２の通信手段を介して送出された前記設定情報を受信する受信手段と、  前記受信手段により受信した前記設定情報を基に、前記アクセスポイントを介したＩＰネットワークとの通信設定を行う設定手段と、
前記設定手段により設定された通信内容により、前記アクセスポイントを介して前記ＩＰネットワークとの通信を無線ＬＡＮを用いて行う通信手段と、
を更に有することを特徴とする無線通信システム。
【請求項８】
前記第２の通信手段はＢｌｕｅｔｏｏｔｈであることを特徴とする請求項４乃至請求項７に記載の無線通信システム。
【発明の詳細な説明】
【技術分野】
【０００１】
本発明は、携帯型電話機に係り、特に位置情報を基にアクセスポイントとの設定情報を取得する携帯型電話機及び無線通信システムに関する。
【背景技術】
【０００２】
無線ＬＡＮは、無線ＬＡＮアダプタ及びアクセスポイントを有し、無線ＬＡＮアダプタを自装置に設置し、アクセスポイントを接続対象のネットワークに設置することにより自装置と所定のネットワークとの間の接続が構築される。
【０００３】
ところで、無線ＬＡＮを用いてネットワークに接続する際には、ＴＣＰ／ＩＰ設定の他、無線ＬＡＮのセキュリティ設定、ブラウザのプロキシ設定など多くのパラメータ設定が必要となる。
【０００４】
特許文献１には、無線ＬＡＮを用いて接続対象のネットワークに接続する際に必要なパラメータの設定を簡単かつ正確に行うことができるシステムが提案されている。
【特許文献１】特開２００３−２０４３３５号公報（第９頁、図１）
【発明の開示】
【発明が解決しようとする課題】
【０００５】
しかしながら、特許文献１等の技術を用いたとしても、自宅、オフィス、ホットスポット（登録商標）など、ユーザが自分の現在の位置に応じて、マニュアルで無線プロファイルを選択し、接続切替を行う必要が生じていた。即ち、一度無線ＬＡＮの設定を行った後に、場所を移動し、異なるアクセスポイントとの設定を行おうと自装置の無線ＬＡＮ設定を行おうとすると、所定のレジストリには最後に選択した無線プロファイルが記憶されているため、移動先では、機器起動後にマニュアルで選択しなおす必要があった。
【０００６】
そこで、本発明は上記問題を解決する為になされたものであり、無駄なスキャンを減少させ、無線設定プロファイルが多くなっても、簡単に接続でき、未登録エリアであっても無線設定プロファイルを簡単に入手し無線接続することができるよう、位置情報に基づいた適切な無線プロファイルを自動的に選択する携帯型電話機及び無線通信システムを提供することを目的とする。
【課題を解決するための手段】
【０００７】
かかる課題を解決するために、本発明にかかる第１の携帯型電話機は、無線ＬＡＮのアクセスポイントよりビーコンフレームを受信することで自装置の位置を検出する検出手段と、前記検出手段により検出した自装置の位置の情報を無線電話通信網を介して所定のサーバに送出することで前記アクセスポイントを介してＩＰネットワークの接続を可能にするための設定情報を要求する設定情報要求手段と、前記設定情報要求手段を行うことで、これに対応する前記設定情報を前記無線電話通信網を介して前記サーバより受信して記憶する記憶手段と、前記記憶手段により記憶された前記設定情報を基に、前記アクセスポイントを介したＩＰネットワークとの通信設定を行う設定手段と、前記設定手段により設定された通信内容により、前記アクセスポイントを介して前記ＩＰネットワークとの通信を無線ＬＡＮを用いて行う通信手段とを有することを特徴としている。
【０００８】
また、第２の携帯型電話機は、自装置の位置を検出する位置検出手段と、前記位置検出手段により検出した自装置の位置の情報を無線電話通信網を介して所定のサーバへ送出することで、前記位置情報に対応するアクセスポイントを介してＩＰネットワークの接続を可能にするための設定情報を要求する設定情報要求手段と、前記設定情報要求手段を行うことで、これに対応する前記設定情報を前記無線電話通信網を介して前記サーバより受信して記憶する記憶手段と、前記記憶手段により記憶された前記設定情報を基に、前記アクセスポイントを介したＩＰネットワークとの通信設定を行う設定手段と、前記設定手段により設定された通信内容により、前記アクセスポイントを介して前記ＩＰネットワークとの通信を無線ＬＡＮを用いて行う通信手段とを有することを特徴としている。
【０００９】
また、本発明に係る第１の無線通信システムは、無線ＬＡＮにより通信を行う第１の通信手段を備えた携帯型情報処理装置と、前記携帯型情報処理装置と第２の通信手段により通信を行う携帯型電話機とを備え、前記携帯型情報処理装置は、無線ＬＡＮのアクセスポイントよりビーコンフレームを受信することで自装置の位置を検出する検出手段と、前記検出手段により検出した自装置の位置の情報を前記第２の通信手段を用いて前記携帯型電話機に送出する送出手段と、前記送出手段により前記携帯型電話機が受信後、前記位置の情報を無線電話通信網を介して所定のサーバに送出し、これに対応したアクセスポイントを介したＩＰネットワークとの接続を可能にするための設定情報を前記サーバから受信後、前記携帯型電話器機により前記第２の通信手段を介して送出された前記設定情報を受信する受信手段と、前記受信手段により受信した前記設定情報を基に、前記アクセスポイントを介したＩＰネットワークとの通信設定を行う設定手段と、前記設定手段により設定された通信内容により、前記アクセスポイントを介して前記ＩＰネットワークとの通信を無線ＬＡＮを用いて行う通信手段とを更に有することを特徴としている。
【００１０】
また、本発明の第２の無線通信システムは、無線ＬＡＮにより通信を行う第１の通信手段を備えた携帯型情報処理装置と、前記携帯型情報処理装置と第２の通信手段により通信を行う携帯型電話機とを備え、前記携帯型情報処理装置は、自装置の位置を検出する位置検出手段と、前記位置検出手段により検出した自装置の位置の情報を前記第２の通信手段を用いて前記携帯型電話機に送出する送出手段と、前記送出手段により前記携帯型電話機が受信後、前記位置の情報を無線電話通信網を介して所定のサーバに送出し、これに対応したアクセスポイントを介したＩＰネットワークとの接続を可能にするための設定情報を前記サーバから受信後、前記携帯型電話器機により前記第２の通信手段を介して送出された前記設定情報を受信する受信手段と、前記受信手段により受信した前記設定情報を基に、前記アクセスポイントを介したＩＰネットワークとの通信設定を行う設定手段と、前記設定手段により設定された通信内容により、前記アクセスポイントを介して前記ＩＰネットワークとの通信を無線ＬＡＮを用いて行う通信手段とを更に有することを特徴としている。
【００１１】
更に、本発明の第３の無線通信システムは、無線ＬＡＮにより通信を行う第１の通信手段を備えた携帯型情報処理装置と、自装置の位置を検出する位置検出手段と、前記携帯型情報処理装置と通信を行う第２の通信手段とを備えた携帯型電話機とを有し、前記携帯型情報処理装置は、前記携帯型電話機が前記位置検出手段により検出した自装置の位置の情報を無線電話通信網を介して所定のサーバに送出し、これに対応したアクセスポイントを介したＩＰネットワークとの接続を可能にするための設定情報を前記サーバから受信後、前記携帯型電話器機により前記第２の通信手段を介して送出された前記設定情報を受信する受信手段と、前記受信手段により受信した前記設定情報を基に、前記アクセスポイントを介したＩＰネットワークとの通信設定を行う設定手段と、前記設定手段により設定された通信内容により、前記アクセスポイントを介して前記ＩＰネットワークとの通信を無線ＬＡＮを用いて行う通信手段とを更に有することを特徴としている。
【発明の効果】
【００１２】
位置情報に基づいた適切な無線プロファイルを自動的に選択することができる。
【発明を実施するための最良の形態】
【００１３】
（第１の実施の形態）
以下、図面を参照して本発明の第１の実施の形態について説明する。
【００１４】
図１は本発明の第１の実施形態に係る携帯型電話機の構成を示すブロック図である。同図に示すように、この携帯型電話機１００は、制御部１１０と、記憶部１２０と、入力部１３０と、出力部１４０と、無線電話通信部１５０と無線通信部１６０とを主たる構成要素とする。ここで各構成要素はバスＢ１で接続されている。
【００１５】
次に各構成要素を詳細に説明する。
【００１６】
制御部１１０は、記憶部１２０に格納された制御プログラムα１に基づき携帯型電話機１００の全体を制御する。具体的には、無線電話通信部１５０や無線通信部１６０へコマンドを送出したり、アクセスポイント３００からの応答や無線通信部１６０が受信した他の機器からのデータの処理等を行う。また、無線電話通信部１５０や無線通信部１６０から得た受信データを記憶部１２０に保存したり、出力部１４０へ出力するなどの制御を行う。更に、入力部１３０からの指示を受けて命令を実行する。制御部１１０は、例えばＣＰＵ（Ｃｅｎｔｒａｌ  Ｐｒｏｃｅｓｓｉｎｇ  Ｕｎｉｔ）である。
【００１７】
記憶部１２０は、情報を記憶する部分であり、上述した制御プログラムα１の他、ＯＳであるプログラムγ、その他の情報を記憶する。記憶部１２０は例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等である
入力部１３０は、携帯型電話機１００に対して命令を入力する部分である。入力部１３０は例えば、操作ボタンやスイッチ等である。
【００１８】
出力部１４０は、携帯型電話機１００の処理結果を出力する部分である。出力部１４０は、例えば、ＬＣＤ（Ｌｉｑｕｉｄ  Ｃｒｙｓｔａｌ  Ｄｉｓｐｌａｙ）、スピーカ等である。
【００１９】
無線電話通信部１５０は、無線により電話通信を行なう部分である。即ち、入力部１３０により通信先の電話番号を入力することにより電話通信網Ｙを介して該当する電話番号を有する電話機と電話通信を行なったり、任意の管理サーバ等と通信したりする。
【００２０】
無線通信部１６０は、無線によりインターネット網等との通信を行う。即ち、無線通信部１６０は、アクセスポイント３００を介してインターネット網Ｘ等と通信（ＩＰネットワーク接続通信）を行なう。無線通信部１６０は、例えばＩＥＥＥ８０２．１１ａ／ｂ／ｇなどの無線通信規格準拠モジュール等である。
【００２１】
次に、本実施の形態に係る携帯型電話機１００の制御の概要を図２を用いて説明する。
【００２２】
図２は、本発明の第１の実施の形態に係る携帯型電話機の制御の概要を示す図である。
【００２３】
本実施の形態は、インターネット網Ｘ等に接続されたアクセスポイント３００が存在することを前提する。その上で、このアクセスポイント３００が発するＢＳＳ（Ｂａｓｉｃ  Ｓｅｒｖｉｃｅ  Ｓｅｔ）３００ａ内に携帯型電話機１００が移動してきた際に携帯型電話機１００とアクセスポイント３００との間で無線通信が確立するするように携帯型電話機１００に設定を行なうものである。
【００２４】
ここで、アクセスポイント３００とは、一般的にＩＥＥＥ８０２．１１技術を用いて所定の周波数帯（例えば２．４ＧＨｚ）の無線電波に基づく無線通信機能と、ルーティング機能、ＮＡＴ（Ｎｅｔｗｏｒｋ  Ａｄｄｒｅｓｓ  Ｔｒａｎｓｌａｔｉｏｎ）機能等の通信制御機能とを備え、無線通信による同一ネットワーク内の他の端末やインターネット等の通信網を介して異なるネットワークとの接続を行なうものである。このアクセスポイント３００には複数の端末が接続可能であり、複数の端末は、無線通信で同時にアクセス可能であることから無線ＬＡＮアクセスポイントとも呼ばれている。アクセスポイント３００は、例えばホットスポット（登録商標）等である。
【００２５】
また、アクセスポイント３００が発するビーコン（ｂｅａｃｏｎ）フレーム（以下、「ビーコン」ともいう）には、位置情報（位置情報ａ）が含まれているものとする。この位置情報は、例えば、ビーコンの中に含まれるＳＳＩＤ（Ｓｅｒｖｉｃｅ  Ｓｅｔ  ＩＤ）やオプション情報エレメントに位置情報を含ませるように構成しても良いし、ＳＳＩＤやオプションエレメント自体を位置情報として構成しても良い。
【００２６】
ところで、携帯型電話機１００が、アクセスポイント３００との間で無線通信を確立する為には、ＳＳＩＤや無線通信データの暗号化情報であるＷＥＰ（Ｗｉｒｅｄ  Ｅｑｕｉｖａｌｅｎｔ  Ｐｒｏｔｏｃｏｌ）等の他、場合によりＷｅｂページの閲覧に用いるＷｅｂブラウザ等の設定に必要な種々のパラメータ（以下、「無線プロファイル」ともいう。
【００２７】
また、これらの情報を含むもデータを総称して本願では「設定情報β」とも言う。）を端末に設定する必要がある。
【００２８】
しかし、携帯型電話機１００には必ずしもアクセスポイント３００と接続する為の設定情報βを記憶していない場合がある。また、初めて訪れる場所にあるアクセスポイント３００には初めから該当するアクセスポイントの設定情報βを記憶していないことも考えられる。そこで、本実施の形態では、以下の（１）〜（５）の手順（図２参照）でアクセスポイント３００との設定を行ない、インターネット網Ｘ等との接続を可能とするものである。
【００２９】
（１）ビーコンを受信し、位置情報を抽出する。
【００３０】
（２）抽出した位置情報を電話通信により所定の管理サーバ４００に送出することで、設定情報βの取得を要求する。
【００３１】
（３）管理サーバ４００より、アクセスポイント３００と接続可能な設定情報βを取得する。
【００３２】
（４）携帯型電話機１００に設定情報βを元に、アクセスポイント３００との接続を可能とする設定を行なう。
【００３３】
（５）アクセスポイント３００との接続（認証含む）が許可されることで、携帯型電話機１００とアクセスポイント３００間との接続が確立し、インターネット網Ｘ等と通信が可能となる。
【００３４】
次に、本実施の形態に係る携帯型電話機１００の制御の詳細を図３を用いて説明する。
【００３５】
図３は、本発明の第１の実施の形態に係る制御プログラムα１の処理の流れを示すフローチャートである。
【００３６】
まず、本制御プログラムα１は、ビーコンを受信することでその後の処理が開始される。即ち、携帯型電話機１００がアクセスポイント３００が発するＢＳＳ３００ａ内に移動してきた場合であっても、未だビーコンを受信していない場合は（ステップＳ１１０のＮｏ）、これを受信するまで次の処理を行わない。
【００３７】
一方、ビーコンを受信した場合には（ステップＳ１１０のＹｅｓ）、無線通信部１６０は、受信したビーコンから位置情報ａを抽出する（ステップＳ１２０）。即ち、受信したビーコンの中からその中に含まれる位置情報ａを抽出する。
【００３８】
次に、無線電話通信部１５０は、抽出した位置情報ａを電話通信網Ｙを介して管理サーバ４００に送出することで設定情報βの取得を要求する（ステップＳ１３０）。即ち、無線電話通信部１５０は、管理サーバ４００に対して電話通信を行い、位置情報ａを送出する。管理サーバ４００は、この位置情報ａを受信することで携帯型電話機１００から設定情報βの取得要求があったことを認識する。
【００３９】
管理サーバ４００は、携帯型電話機１００から設定情報βの取得要求があると、位置情報ａを元にこれに対応する設定情報βを携帯型電話機１００へ送出することとなる。尚、携帯型電話機１００は、電話機である為、固有の電話番号を有しており、管理サーバ４００はこの電話番号をＩＤとして使用することで、設定情報βを携帯型電話機１００へ送出して良いのか否かを個別に判断することとなる。ここで設定情報βは通常、アクセスポイント３００との接続を許可した者（又は装置）のみに開示するいわゆる秘密情報である為、この判別があることで秘密情報としての管理が有効に働くこととなる。
【００４０】
次に、携帯型電話機１００は、管理サーバ４００から設定情報βを受信するまで以降の処理を行わない。即ち、無線電話通信部１５０が、管理サーバ４００より設定情報βを受信していない場合には（ステップＳ１４０のＮｏ）、これを受信するまで以後の処理を行わない。
【００４１】
一方、無線電話通信部１５０が設定情報βを受信した場合には（ステップＳ１４０のＹｅｓ）、この設定情報βを設定する（ステップＳ１５０）。即ち、受信した設定情報βを記憶部１２０に記憶し、記憶した設定情報βの中からアクセスポイント３００と接続を可能とする為のパラメータ（無線プロファイル）を抽出する。このパラメータは、例えば、無線ＬＡＮの設定情報（ＳＳＩＤ、暗号化キー、使用暗号化キーナンバー、省電力モード、ＲＴＳ／ＣＴＳ等）、自機の識別情報（機器名、ワークグループ名、自機の説明等）、ネットワークの設定（ＮＴドメインへのログオン、ＮＴドメイン、ＩＰアドレス、サブネットマスク、ＷＩＮＳ設定、ゲートウエイ、ＤＮＳ設定等）、ブラウザの設定（スクリプト、プロキシサーバ等）等である。そして抽出したパラメータを所定のレジストリに記憶することで設定を行なう。
【００４２】
次に、無線通信部１６０は、上述したレジストリへの各種パラメータの設定を行った状態で、アクセスポイント３００との通信を行う（ステップＳ１６０）。アクセスポイント３００又は認証サーバは、この携帯型電話機１００からの通信を受信することで携帯型電話機１００と通信を許可するか否かを判断する。
【００４３】
その結果、携帯型電話機１００が、アクセスポイント３００との通信を許可されない場合には（ステップＳ１７０Ｎｏ）、許可されるまで次の処理は行われない。尚、所定時間を経過しても許可されない場合は、接続を失敗したと判断し、その旨をユーザに通知するように構成しても良い。
【００４４】
一方、携帯型電話機１００が、アクセスポイント３００との通信を許可された場合には（ステップＳ１７０Ｙｅｓ）、アクセスポイント３００と携帯型電話機１００との間の通信が確立する（ステップＳ１８０）。これにより、インターネット網Ｘ等との通信が可能となる。
【００４５】
尚、図１及び図２において不図示であるが、インターネット網Ｘと電話網Ｙとが相互に通信可能なように接続されていても良い。また、管理サーバ４００は、インターネット網Ｘとつながるような構成となっていても良い。この場合、電話網Ｙからインターネット網Ｘを介して管理サーバ４００から設定情報βを取得することとなる。
【００４６】
以上の処理を行うことで、携帯型電話機１００にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。従って、位置情報に基づいた適切な無線プロファイルを自動的に選択する携帯型電話器機が提供できる。
【００４７】
（第２の実施の形態）
以下、図面を参照して本発明の第２の実施の形態について説明する。
【００４８】
図４は本発明の第２の実施形態に係る携帯型電話機の構成を示すブロック図である。同図において、図１のブロック図と同一部分は同一記号で示し、その説明は省略する。図４において図１のブロック図と異なる点は、他の装置からの所定の情報を受信することで自機の位置を検出する位置検出部１７０が追加されて携帯型電話機１０１となっている点である。
【００４９】
ここで、位置検出部１７０は、例えばＧＰＳ（Ｇｒｏｂａｌ  Ｐｏｓｉｔｉｏｎｉｎｇ  Ｓｙｓｔｅｍ）であり、所定の衛星からの電波の受信を可能とし、電波の電播時間と衛星の軌道情報を受け取り、これらの情報から、衛星からの距離と衛星の位置を知り、自機の位置を計算（検出）する。
【００５０】
次に、本実施の形態に係る携帯型電話機１０１の制御の概要を図５を用いて説明する。
【００５１】
図５は、本発明の第２の実施の形態に係る携帯型電話機の制御の概要を示す図である。
【００５２】
本実施の形態は、第１の実施の形態と同様、インターネット網Ｘ等に接続されたアクセスポイント３００が存在することを前提する。その上で、このアクセスポイント３００が発するＢＳＳ３００ａ内に携帯型電話機１０１が移動してきた際に携帯型電話機１０１とアクセスポイント３００との間で無線通信が確立するするように携帯型電話機１０１に設定を行なうものである。
【００５３】
また、本実施の形態におけるアクセスポイント３００は、第１の実施の形態と同様にこれが発するビーコンに位置情報ａが含まれていても良いし、逆にこれが含まれていないくても良い。
【００５４】
本実施の形態では、以下の（１）〜（６）の手順（図５参照）でアクセスポイント３００との設定を行ない、インターネット網Ｘ等との接続を可能とするものである。
【００５５】
（１）電播時間・軌道情報を受信する。
【００５６】
（２）受信した情報から自機の現在位置（位置情報ａ）を検出する。
【００５７】
（３）検出した位置情報ａを電話通信により所定の管理サーバ４００に送出することで、設定情報βの取得を要求する。
【００５８】
（４）管理サーバ４００より、位置情報ａに対応するアクセスポイント３００と接続可能な設定情報βを取得する。
【００５９】
（５）携帯型電話機１０１に設定情報βを元に、アクセスポイント３００との接続を可能とする設定を行なう。
【００６０】
（６）アクセスポイント３００との接続（認証含む）が許可されることで、携帯型電話機１０１とアクセスポイント３００間との接続が確立し、インターネット網Ｘ等と通信が可能となる。
【００６１】
次に、本実施の形態に係る携帯型電話機１０１の制御の詳細を図６を用いて説明する。
【００６２】
図６は、本発明の第２の実施の形態に係る制御プログラムα２の処理の流れを示すフローチャートである。図６において、図３のフローチャートと同一部分は同一記号で示し、その説明は省略する。
【００６３】
図６が図３と異なる点は、ビーコンを受信したか否かのステップであるステップＳ１１０が、衛星より電播時間と軌道情報を受信したか否かのステップであるステップＳ１１１に変わっている点と、位置情報を抽出するステップＳ１２０が、位置情報を検出するステップＳ１２１に変わっている点である。
【００６４】
即ち、本制御プログラムα２は、衛星より電播時間と軌道情報を受信することでその後の処理が開始される。従って、携帯型電話機１０１がこれらの情報を受信していない場合は（ステップＳ１１１のＮｏ）、これを受信するまで次の処理を行わない。
【００６５】
一方、衛星より電播時間と軌道情報を受信した場合には（ステップＳ１１１のＹｅｓ）、位置検出部１７０は、受信した電播時間と軌道情報から現在の自機の位置（位置情報ａ）を計算（検出）する（ステップＳ１２１）。
【００６６】
以降図３と同様ステップＳ１３０以降の処理を行う。尚、位置検出部１７０は、所定の時間毎に衛星より電播時間と軌道情報を受信するように構成しても良いため、不要にステップＳ１３０の処理を行わせないように、入力部１３０からユーザがステップＳ１３０の処理の開始の要求を行なった場合にのみ、ステップＳ１３０以降の処理を行うように携帯型電話機１０１を構成していも良い。
【００６７】
以上の処理を行うことで、携帯型電話機１０１にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。従って、位置情報に基づいた適切な無線プロファイルを自動的に選択する携帯型電話器機が提供できる。
【００６８】
尚、本実施の形態の変形例として、第１の実施の形態と同様にアクセスポイント３００が発するビーコンに位置情報ａが含まれている場合には、無線通信部１６０がアクセスポイント３００よりビーコンを受信することで位置情報（設定情報β）を抽出するようにしても良い。これにより、無線通信部１６０が、アクセスポイント３００よりビーコンを受信した場合、あるいは位置検出部１７０が衛星から電播時間・軌道情報を受信した場合に、図６のステップＳ１３０以降の処理を行うように構成しても良い。
【００６９】
尚、図４及び図５において不図示であるが、インターネット網Ｘと電話網Ｙとが相互に通信可能なように接続されていても良い。また、管理サーバ４００は、インターネット網Ｘとつながるような構成となっていても良い。この場合、電話網Ｙからインターネット網Ｘを介して管理サーバ４００から設定情報βを取得することとなる。
【００７０】
以上の処理を行うことによっても、携帯型電話機１０１にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。
【００７１】
従って、位置情報に基づいた適切な無線プロファイルを自動的に選択する携帯型電話器機が提供できる。
【００７２】
（第３の実施の形態）
以下、図面を参照して本発明の第３の実施の形態について説明する。
【００７３】
図７は本発明の第３の実施形態に係る無線通信システムの構成を示すブロック図である。同図において、図１のブロック図と同一部分は同一記号で示し、その説明は省略する。
【００７４】
図７において図１のブロック図と異なる点は、携帯型電話機１００において、無線通信部１６０が削除されて、代わりに近距離無線通信部１８０が追加された携帯型電話機１０２になっている点と、携帯型電話機１０２の他に携帯型情報処理装置２００が追加されて無線通信システム１０が構成されている点である。
【００７５】
ここで、携帯型電話機１０２の近距離無線通信部１８０は、携帯電話、ＰＤＡ（Ｐｅｒｓｏｎａｌ  Ｄｉｇｉｔａｌ  Ａｓｓｉｓｔａｎｃｅ）などのモバイル機器やその他、種々の電子機器同士を近距離の無線でつないで通信を行なう部分である。近距離無線通信部１８０は例えば、Ｂｌｕｅｔｏｏｔｈ（登録商標）モジュールである。
【００７６】
尚、記憶部１２０には、後述する制御プログラムα３’が記憶されているものとする。
【００７７】
一方、携帯型情報処理装置２００は、制御部２１０と、記憶部２２０と、入力部２３０と、出力部２４０と、無線通信部２６０と、近距離無線通信部２８０とを主たる構成要素とする。ここで各構成要素はバスＢ２で接続されている。
【００７８】
次に各構成要素を詳細に説明する。
【００７９】
制御部２１０は、記憶部２２０に格納された制御プログラムα３に基づき携帯型情報処理装置２００の全体を制御する。具体的には、無線通信部２６０へコマンドを送出したり、アクセスポイント３００からの応答や無線通信部２６０が受信した他の機器からのデータの処理等を行う。また、無線通信部２６０から得た受信データを記憶部２２０に保存したり、出力部２４０へ出力するなどの制御を行う。更に、入力部２３０からの指示を受けて命令を実行する。制御部２１０は、例えばＣＰＵである。
【００８０】
記憶部２２０は、情報を記憶する部分であり、上述した制御プログラムα３の他、ＯＳであるプログラムγ２、その他の情報を記憶する。記憶部２２０は例えば、ＲＯＭやＲＡＭ等である
入力部２３０は、携帯型情報処理装置２００に対して命令を入力する部分である。入力部２３０は例えば、キーボード、マウス、操作ボタン、スイッチ等である。
【００８１】
出力部２４０は、携帯型情報処理装置２００の処理結果を出力する部分である。出力部２４０は、例えば、ＬＣＤ（Ｌｉｑｕｉｄ  Ｃｒｙｓｔａｌ  Ｄｉｓｐｌａｙ）、スピーカ等である。
【００８２】
無線通信部２６０は、無線によりインターネット網等との通信を行う。即ち、無線通信部２６０は、アクセスポイント３００を介してインターネット網Ｘ等と通信することにより無線によりインターネットとの通信（ＩＰネットワーク接続通信）を行なう。無線通信部２６０は、例えばＩＥＥＥ８０２．１１ａ／ｂ／ｇなどの無線通信規格準拠モジュール等である。
【００８３】
次に、本実施の形態に係る無線通信システム１０の制御の概要を図８を用いて説明する。図８は、本発明の第３の実施の形態に係る無線通信システムの制御の概要を示す図である。同図において、図２と同一部分は同一記号で示し、その説明は省略する。
【００８４】
本実施の形態においても、第１の実施の形態と同様、インターネット網Ｘ等に接続されたアクセスポイント３００が存在することを前提する。その上で、このアクセスポイント３００が発するＢＳＳ３００ａ内に携帯型情報処理装置２００が移動してきた際に携帯型情報処理装置２００とアクセスポイント３００との間で無線通信が確立するするように携帯型情報処理装置２００に設定を行なうものである。
【００８５】
また、アクセスポイント３００が発するビーコンには、第１の実施の形態と同様、位置情報（位置情報ａ）が含まれているものとする。この位置情報は、例えば、ビーコンの中に含まれるＳＳＩＤやオプション情報エレメントをに位置情報を含ませる構成するようにしても良いし、ＳＳＩＤやオプションエレメント自体を位置情報として構成しても良い。
【００８６】
ところで、携帯型情報処理装置２００が、アクセスポイント３００との間で無線通信を確立する為には、第１の実施の形態と同様に設定情報βを端末に設定する必要がある。
【００８７】
しかし、携帯型情報処理装置２００には必ずしもアクセスポイント３００と接続す為の設定情報βを記憶していない場合がある。また、初めて訪れる場所にあるアクセスポイント３００には初めから該当するアクセスポイントの設定情報βを記憶していないことも考えられる。そこで、本実施の形態では、以下の（１）〜（５）の手順（図８参照）でアクセスポイント３００との設定を行ない、インターネット網Ｘ等との接続を可能とするものである。
【００８８】
（１）ビーコンを受信し、位置情報を抽出する。
【００８９】
（２）抽出した位置情報を近距離無線通信部２８０を介して携帯型電話機１０２に送信する。送信した位置情報は携帯型電話機１０２が電話通信により所定の管理サーバ４００に送出することで、設定情報βの取得を要求する。
【００９０】
（３）管理サーバ４００より、アクセスポイント３００と接続可能な設定情報βを携帯型電話機１０２が取得する。その上で、携帯型電話機１０２は、近距離無線通信部１８０を用いて携帯型情報処理装置２００へ設定情報βを送出する。
【００９１】
（４）携帯型情報処理装置２００は設定情報βを元に、アクセスポイント３００との接続を可能とする設定を行なう。
【００９２】
（５）アクセスポイント３００との接続（認証含む）が許可されることで、携帯型情報処理装置２００とアクセスポイント３００間との接続が確立し、インターネット網Ｘ等と通信が可能となる。
【００９３】
次に、本実施の形態に係る無線通信システム１０の制御の詳細を図９を用いて説明する。図９は、本発明の第３の実施の形態に係る制御プログラムα３及び制御プログラムα３’の処理の流れを示すフローチャートである。
【００９４】
まず、本制御プログラムα３は、ビーコンを受信することでその後の処理が開始される。即ち、携帯型情報処理装置２００がアクセスポイント３００が発するＢＳＳ３００ａ内に移動してきた場合であっても、未だビーコンを受信していない場合は（ステップＳ２１０のＮｏ）、これを受信するまで次の処理を行わない。
【００９５】
一方、ビーコンを受信した場合には（ステップＳ２１０のＹｅｓ）、無線通信部２６０は、受信したビーコンから位置情報ａを抽出する（ステップＳ２２０）。即ち、受信したビーコンの中からその中に含まれる位置情報ａを抽出する。
【００９６】
次に、近距離無線通信部２８０は、抽出した位置情報ａを携帯型電話機１０２へ送出する（ステップＳ２３０）。尚、以後ステップＳ２４０の処理を開始するまでは、携帯型電話機１０２の記憶部１２０に記憶されている制御プログラムα３’の処理が行われる。
【００９７】
記憶部１２０に記憶されている制御プログラムα３’は、この位置情報ａを携帯型情報処理装置２００から受信することで処理を開始する。即ち、近距離無線通信部１８０が近距離無線通信部２８０より位置情報ａを受信していない場合は（ステップＳ３１０のＮｏ）、制御プログラムα３’の以後の処理は行わない。
【００９８】
一方、近距離無線通信部１８０が近距離無線通信部２８０より位置情報ａを受信した場合は（ステップＳ３１０のＹｅｓ）、この位置情報ａを電話通信網Ｙを介して管理サーバ４００に送出することで設定情報βを取得を要求する（ステップＳ３２０）。即ち、無線電話通信部１５０は、管理サーバ４００に対して電話通信を行い、位置情報ａを送出する。管理サーバ４００は、この位置情報ａを受信することで携帯型電話機１０２から設定情報βの取得要求があったことを認識する。
【００９９】
管理サーバ４００は、携帯型電話機１０２からの上記設定情報βの取得要求があると、位置情報ａを元にこれに対応する設定情報βを携帯型電話機１０２へ送出することとなる。尚、携帯型電話機１０２は、電話機である為、固有の電話番号を有しており、管理サーバ４００はこの電話番号をＩＤとして使用することで、設定情報βを携帯型電話機１０２へ送出して良いのか否かを個別に判断することとなる。ここで設定情報βはいわゆる秘密情報であり、この判別があることで秘密情報としての管理が有効に働くこととなるのは記述の実施の形態と同様である。
【０１００】
次に、携帯型電話機１０２は、管理サーバ４００から設定情報βを受信するまで以降の処理を行わない。即ち、無線電話通信部１５０が、管理サーバ４００より設定情報βを受信していない場合には（ステップＳ３３０のＮｏ）、これを受信するまで以後の処理を行わない。
【０１０１】
一方、無線電話通信部１５０が設定情報βを受信した場合には（ステップＳ３３０のＹｅｓ）、この設定情報βを携帯型情報処理装置２００へ送出する（ステップＳ３４０）ことで制御プログラムα３’の処理が終了する。従って、以後の処理は携帯型情報処理装置２００の記憶部２２０に記憶されている制御プログラムα３の処理となる。
【０１０２】
制御プログラムα３は、この設定情報βを携帯型電話機１０２から受信することで処理を再開する。即ち、近距離無線通信部２８０が近距離無線通信部１８０より設定情報βを受信していない場合は（ステップＳ２４０のＮｏ）、制御プログラムα３の以後の処理は行わない。
【０１０３】
一方、近距離無線通信部２８０が近距離無線通信部１８０より設定情報βを受信した場合は（ステップＳ２４０のＹｅｓ）、設定情報βを設定する（ステップＳ２５０）。即ち、受信した設定情報βを記憶部２２０に記憶し、記憶した設定情報βの中からアクセスポイント３００と接続を可能とする為のパラメータ（無線プロファイル）を抽出する。このパラメータは、例えば、無線ＬＡＮの設定情報（ＳＳＩＤ、暗号化キー、使用暗号化キーナンバー、省電力モード、ＲＴＳ／ＣＴＳ等）、自装置の識別情報（装置名、ワークグループ名、自装置の説明等）、ネットワークの設定（ＮＴドメインへのログオン、ＮＴドメイン、ＩＰアドレス、サブネットマスク、ＷＩＮＳ設定、ゲートウエイ、ＤＮＳ設定等）、ブラウザの設定（スクリプト、プロキシサーバ等）等である。そして、抽出したパラメータを所定のレジストリに記憶することで設定を行なう。
【０１０４】
次に、無線通信部２６０は、上述したレジストリへの各種パラメータの設定を行った状態で、アクセスポイント３００との通信を行う（ステップＳ２６０）。アクセスポイント３００又は認証サーバは、この携帯型情報処理装置２００からの通信を受信することで携帯型情報処理装置２００と通信を許可するか否かを判断する。
【０１０５】
その結果、携帯型情報処理装置２００が、アクセスポイント３００との通信を許可されない場合には（ステップＳ２７０Ｎｏ）、許可されるまで次の処理は行われない。
【０１０６】
一方、携帯型情報処理装置２００が、アクセスポイント３００との通信を許可された場合には（ステップＳ２７０Ｙｅｓ）、アクセスポイント３００と携帯型情報処理装置２００との間の通信が確立する（ステップＳ２８０）。これにより、インターネット網Ｘ等との通信が可能となる。
【０１０７】
尚、図７及び図８において不図示であるが、インターネット網Ｘと電話網Ｙとが相互に通信可能なように接続されていても良い。また、管理サーバ４００は、インターネット網Ｘとつながるような構成となっていても良い。この場合、電話網Ｙからインターネット網Ｘを介して管理サーバ４００から設定情報βを取得することとなる。
【０１０８】
以上の処理を行うことで、携帯型情報処理装置２００にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。従って、位置情報に基づいた適切な無線プロファイルを自動的に選択する無線通信システムが提供できる。
【０１０９】
（第４の実施の形態）
以下、図面を参照して本発明の第４の実施の形態について説明する。
【０１１０】
図１０は本発明の第４の実施形態に係る無線通信システムの構成を示すブロック図である。同図において、図７のブロック図と同一部分は同一記号で示し、その説明は省略する。図１０において図７のブロック図と異なる点は、携帯型情報処理装置２００が衛星等の他の装置からの所定の情報を受信することで自装置の位置情報を検出する位置検出部２７０が追加されて携帯型情報処理装置２０１となり、全体として無線通信システム１１を構成している点である。
【０１１１】
ここで、位置検出部２７０とは、上述した位置検出部１７０と同等の機能を有する部分である為、その説明は省略する。
【０１１２】
次に、本実施の形態に係る無線通信システム１１の制御の概要を図１１を用いて説明する。図１１は、本発明の第４の実施の形態に係る無線通信システム１１の制御の概要を示す図である。
【０１１３】
本実施の形態は、第３の実施の形態と同様、インターネット網Ｘ等に接続されたアクセスポイント３００が存在することを前提する。その上で、このアクセスポイント３００が発するＢＳＳ３００ａ内に携帯型情報処理装置２０１が移動してきた際に携帯型情報処理装置２０１とアクセスポイント３００との間で無線通信が確立するするように携帯型情報処理装置２０１に設定を行なうものである。
【０１１４】
また、本実施の形態におけるアクセスポイント３００は、第３の実施の形態と同様にこれが発するビーコンに位置情報ａが含まれていても良いし、逆にこれが含まれていないくても良い。
【０１１５】
本実施の形態では、以下の（１）〜（６）の手順（図１１参照）でアクセスポイント３００との設定を行ない、インターネット網Ｘ等との接続を可能とするものである。
【０１１６】
（１）電播時間・軌道情報を携帯型情報処理装置２０１が受信する。
【０１１７】
（２）受信した情報から自装置の現在位置（位置情報ａ）を検出する。
【０１１８】
（３）検出した位置情報ａを近距離無線通信部２８０を介して携帯型電話機１０２に送信する。受信した位置情報は携帯型電話機１０２が電話通信により所定の管理サーバ４００に送出することで、設定情報βの取得を要求する。
【０１１９】
（４）管理サーバ４００より、アクセスポイント３００と接続可能な設定情報βを携帯型電話機１０２が取得する。その上で、携帯型電話機１０２は、近距離無線通信部１８０を用いて携帯型情報処理装置２０１へ設定情報βを送出する。
【０１２０】
（５）携帯型情報処理装置２０１は設定情報βを元に、アクセスポイント３００との接続を可能とする設定を行なう。
【０１２１】
（６）アクセスポイント３００との接続（認証含む）が許可されることで、携帯型情報処理装置２０１とアクセスポイント３００間との接続が確立し、インターネット網Ｘ等と通信が可能となる。
【０１２２】
次に、本実施の形態に係る無線通信システム１１の制御の詳細を図１２を用いて説明する。図１２は、本発明の第４の実施の形態に係る制御プログラムα４と制御プログラムα４’の処理の流れを示すフローチャートである。図１２において、図９のフローチャートと同一部分は同一記号で示し、その説明は省略する。
【０１２３】
図１２が図９と異なる点は、ビーコンを受信したか否かを判断するステップであるステップＳ２１０が、衛星より電播時間と軌道情報を受信したか否かを判断するステップであるステップＳ２１１に変わっている点と、位置情報を抽出するステップＳ２２０が、位置情報を検出するステップＳ２２１に変わっている点である。
【０１２４】
即ち、本制御プログラムα４は、衛星より電播時間と軌道情報を受信することでその後の処理が開始される。即ち、携帯型情報処理装置２０１がこれらの情報を受信していない場合は（ステップＳ２１１のＮｏ）、これを受信するまで次の処理を行わない。
【０１２５】
一方、衛星より電播時間と軌道情報を受信した場合には（ステップＳ２１１のＹｅｓ）、位置検出部２７０は、受信した電播時間と軌道情報から現在の自装置の位置（位置情報ａ）を計算（検出）する（ステップＳ２２１）。
【０１２６】
次にステップＳ２３０以降の処理を行う。尚、位置検出部２７０は、所定の時間毎に衛星より電播時間と軌道情報を受信するように構成しても良いため、不要にステップＳ２３０の処理を行わせないように、入力部２３０からユーザがステップＳ２３０の処理の開始の要求を行なった場合にのみ、ステップＳ２３０以降の処理を行うように無線通信システム１１を構成しても良い。
【０１２７】
以上の処理を行うことで、無線通信システム１１にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。従って、位置情報に基づいた適切な無線プロファイルを自動的に選択する無線通信システムが提供できる。
【０１２８】
尚、本実施の形態の変形例として、第３の実施の形態と同様にアクセスポイント３００が発するビーコンに位置情報ａが含まれている場合には、無線通信部２６０がアクセスポイント３００よりビーコンを受信することで位置情報（設定情報β）を抽出するようにしても良い。これにより、無線通信部２６０が、アクセスポイント３００よりビーコンを受信した場合、あるいは位置検出部２７０が衛星から電播時間・軌道情報を受信した場合に、図１２のステップＳ２３０以降の処理を行うように構成しても良い。
【０１２９】
以上の処理を行うことによっても、無線通信システム１１にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。従って、位置情報に基づいた適切な無線プロファイルを自動的に選択する無線通信システムが提供できる。
【０１３０】
尚、図１０及び図１１において不図示であるが、インターネット網Ｘと電話網Ｙとが相互に通信可能なように接続されていても良い。また、管理サーバ４００は、インターネット網Ｘとつながるような構成となっていても良い。この場合、電話網Ｙからインターネット網Ｘを介して管理サーバ４００から設定情報βを取得することとなる。
【０１３１】
（第５の実施の形態）
以下、図面を参照して本発明の第５の実施の形態について説明する。
【０１３２】
図１３は本発明の第５の実施形態に係る無線通信システムの構成を示すブロック図である。同図において、図７のブロック図と同一部分は同一記号で示し、その説明は省略する。図１３において図７のブロック図と異なる点は、携帯型電話機１０２等が衛星等の他の装置からの所定の情報を受信することで自装置の位置情報を検出する位置検出部１７０が追加されて携帯型電話機１０３となり、全体として無線通信システム１２を構成している点である。
【０１３３】
ここで、位置検出部１７０とは、第１の実施の形態で述べた位置検出部１７０と同等の機能を有する部分である為、その説明は省略する。
【０１３４】
次に、本実施の形態に係る無線通信システム１２の制御の概要を図１４を用いて説明する。図１４は、本発明の第５の実施の形態に係る無線通信システム１２の制御の概要を示す図である。
【０１３５】
本実施の形態は、第３の実施の形態と同様、インターネット網Ｘ等に接続されたアクセスポイント３００が存在することを前提する。その上で、このアクセスポイント３００が発するＢＳＳ３００ａ内に携帯型情報処理装置２００が移動してきた際に携帯型情報処理装置２００とアクセスポイント３００との間で無線通信が確立するするように携帯型情報処理装置２００に設定を行なうものである。
【０１３６】
また、本実施の形態では第３の実施の形態と同様、アクセスポイント３００が発するビーコンに位置情報ａが含まれていても良いし、逆にこれが含まれていないくても良い。
【０１３７】
本実施の形態では、以下の（１）〜（６）の手順（図１４参照）でアクセスポイント３００との設定を行ない、インターネット網Ｘ等との接続を可能とするものである。
【０１３８】
（１）電播時間・軌道情報を携帯型電話機１０３が受信する。
【０１３９】
（２）受信した情報から自機の現在位置（位置情報ａ）を検出する。
【０１４０】
（３）検出した位置情報ａを電話通信により所定の管理サーバ４００に送出することで、設定情報βの取得を要求する。
【０１４１】
（４）管理サーバ４００より、アクセスポイント３００と接続可能な設定情報βを携帯型電話機１０３が取得する。
【０１４２】
（５）取得した設定情報βを携帯型電話機１０３が近距離無線通信部１８０を用いて携帯型情報処理装置２００へ送出する。
【０１４３】
（６）携帯型情報処理装置２００は設定情報βを元に、アクセスポイント３００との接続を可能とする設定を行なう。
【０１４４】
（７）アクセスポイント３００との接続（認証含む）が許可されることで、携帯型情報処理装置２００とアクセスポイント３００間との接続が確立し、インターネット網Ｘ等と通信が可能となる。
【０１４５】
次に、本実施の形態に係る無線通信システム１２の制御の詳細を図１５を用いて説明する。図１５は、本発明の第５の実施の形態に係る制御プログラムα５と制御プログラムα５’の処理の流れを示すフローチャートである。
【０１４６】
まず、本制御プログラムα５’は、電播時間及び軌道情報を受信することでその後の処理を開始する。即ち、携帯型電話機１０３が衛星より電播時間及び軌道情報を受信していない場合は（ステップＳ４１０のＮｏ）、これを受信するまで次の処理を行わない。
【０１４７】
一方、電播時間及び軌道情報を受信した場合には（ステップＳ４１０のＹｅｓ）、位置検出部１７０は、受信した電播時間及び軌道情報から現在の位置（位置情報ａ）を計算（検出）する（ステップＳ４２０）。
【０１４８】
次に、無線電話通信部１５０が、この位置情報ａを電話通信網Ｙを介して管理サーバ４００に送出することで設定情報βを取得を要求する（ステップＳ４３０）。即ち、無線電話通信部１５０は、管理サーバ４００に対して電話通信を行い、位置情報ａを送出する。
【０１４９】
管理サーバ４００は、この位置情報ａを受信することで携帯型電話機１０３から設定情報βの取得要求があったことを認識する。
【０１５０】
管理サーバ４００は、携帯型電話機１０３からの上記設定情報βの取得要求があると、位置情報ａを元にこれに対応する設定情報βを携帯型電話機１０３へ送出することとなる。尚、携帯型電話機１０３は、電話機である為、固有の電話番号を有しており、管理サーバ４００はこの電話番号をＩＤとして使用することで、設定情報βを携帯型電話機１０３へ送出して良いのか否かを個別に判断することとなるのは、既述の実施の形態と同様である。
【０１５１】
次に、携帯型電話機１０３は、管理サーバ４００から設定情報βを受信するまで以降の処理を行わない。即ち、無線電話通信部１５０が、管理サーバ４００より設定情報βを受信していない場合には（ステップＳ４４０のＮｏ）、これを受信するまで以後の処理を行わない。
【０１５２】
一方、無線電話通信部１５０が設定情報βを受信した場合には（ステップＳ４４０のＹｅｓ）、この設定情報βを携帯型情報処理装置２００へ送出する（ステップＳ４５０）ことで制御プログラムα５’の処理が終了する。従って、以後の処理は携帯型情報処理装置２００の記憶部２２０に記憶されている制御プログラムα５の処理となる。
【０１５３】
制御プログラムα５は、この設定情報βを携帯型電話機１０３から受信することで処理を開始する。即ち、近距離無線通信部２８０が近距離無線通信部１８０より設定情報βを受信していない場合は（ステップＳ５１０のＮｏ）、制御プログラムα５の以後の処理は行わない。
【０１５４】
一方、近距離無線通信部２８０が近距離無線通信部１８０より設定情報βを受信した場合は（ステップＳ５１０のＹｅｓ）、設定情報βを設定する（ステップＳ５２０）。即ち、受信した設定情報βを記憶部２２０に記憶し、記憶した設定情報βの中からアクセスポイント３００と接続を可能とする為のパラメータ（無線プロファイル）を抽出し、所定のレジストリに記憶する。このパラメータの具体例は、既述の実施例と同様である為、その説明を省略する。
【０１５５】
次に、無線通信部２６０は、上述したレジストリへの各種パラメータの設定を行った状態で、アクセスポイント３００との通信を行う（ステップＳ５３０）。アクセスポイント３００は、この携帯型情報処理装置２００からの通信を受信することで携帯型情報処理装置２００と通信を許可するかどうかを判断する。尚、所定時間を経過しても許可されない場合は、接続を失敗したと判断し、その旨をユーザに通知するように構成しても良い。
【０１５６】
その結果、携帯型情報処理装置２００が、アクセスポイント３００との通信を許可されない場合には（ステップＳ５４０Ｎｏ）、許可されるまで次の処理は行われない。
【０１５７】
一方、携帯型情報処理装置２００が、アクセスポイント３００との通信を許可された場合には（ステップＳ５４０Ｙｅｓ）、アクセスポイント３００と携帯型情報処理装置２００との間の通信が確立する（ステップＳ５５０）。これにより、インターネット網Ｘ等との通信が可能となる。
【０１５８】
尚、図１３及び図１４において不図示であるが、インターネット網Ｘと電話網Ｙとが相互に通信可能なように接続されていても良い。また、管理サーバ４００は、インターネット網Ｘとつながるような構成となっていても良い。この場合、電話網Ｙからインターネット網Ｘを介して管理サーバ４００から設定情報βを取得することとなる。
【０１５９】
以上の処理を行うことで、携帯型情報処理装置２００にはアクセスポイント３００に適した無線ＬＡＮの設定が可能となる。従って、無駄なスキャンを減少させ、無線設定プロファイルである設定情報βが多くなっても、簡単に接続できる。また、未登録エリアであっても簡単に無線設定プロファイルを入手し、無線接続することができるようになる。従って、位置情報に基づいた適切な無線プロファイルを自動的に選択する無線通信システムが提供できる。
【図面の簡単な説明】
【０１６０】
【図１】本発明の第１の実施形態に係る携帯型電話機の構成を示すブロック図。
【図２】本発明の第１の実施の形態に係る携帯型電話機の制御の概要を示す図。
【図３】本発明の第１の実施の形態に係る制御プログラムα１の処理の流れを示すフローチャート。
【図４】本発明の第２の実施形態に係る携帯型電話機の構成を示すブロック図。
【図５】本発明の第２の実施の形態に係る携帯型電話機の制御の概要を示す図。
【図６】本発明の第２の実施の形態に係る制御プログラムα処理の流れを示すフローチャート。
【図７】本発明の第３の実施形態に係る無線通信システムの構成を示すブロック図。
【図８】本発明の第３の実施の形態に係る無線通信システムの制御の概要を示す図。
【図９】本発明の第３の実施の形態に係る制御プログラムα３及び制御プログラムα３’の処理の流れを示すフローチャート。
【図１０】本発明の第４の実施形態に係る無線通信システムの構成を示すブロック図。
【図１１】本発明の第４の実施の形態に係る無線通信システム１１の制御の概要を示す図。
【図１２】本発明の第４の実施の形態に係る制御プログラムα４と制御プログラムα４’の処理の流れを示すフローチャート。
【図１３】本発明の第５の実施形態に係る無線通信システムの構成を示すブロック図。
【図１４】本発明の第５の実施の形態に係る無線通信システム１２の制御の概要を示す図。
【図１５】本発明の第５の実施の形態に係る制御プログラムα５と制御プログラムα５’の処理の流れを示すフローチャート。
【符号の説明】
【０１６１】
１０，１１，１２  無線通信システム
１００，１０１，１０２，１０３  携帯型電話機
１１０  制御部
１２０  記憶部
１３０  入力部
１４０  出力部
１５０  無線電話通信部
１６０  無線通信部
１７０  位置検出部
１８０  近距離無線通信部
２００，２０１  携帯型情報処理装置
２１０  制御部
２２０  記憶部
２３０  入力部
２４０  出力部
２６０  無線通信部
２７０  位置検出部
２８０  近距離無線通信部
３００  アクセスポイント
３００ａ  ＢＳＳ
４００  管理サーバ
ａ  位置情報
Ｂ１，Ｂ２  バス
Ｘ  インターネット網
Ｙ  電話通信網
α１，α２，α３，α３’，α４，α４’，α５，α５’  制御プログラム
β  設定情報
【図１】
2006211168.tif 000003
【図２】
2006211168.tif 000004
【図３】
2006211168.tif 000005
【図４】
2006211168.tif 000006
【図５】
2006211168.tif 000007
【図６】
2006211168.tif 000008
【図７】
2006211168.tif 000009
【図８】
2006211168.tif 000010
【図９】
2006211168.tif 000011
【図１０】
2006211168.tif 000012
【図１１】
2006211168.tif 000013
【図１２】
2006211168.tif 000014
【図１３】
2006211168.tif 000015
【図１４】
2006211168.tif 000016
【図１５】
2006211168.tif 000017